(57)【要約】【課題】セルフタイマーの音声データをユーザが記録することができるセルフタイマー付きカメラを提供する。【解決手段】パワー及びモードスイッチ７を操作してマイク１１を介してセルフタイマー用音声をメモリカード９４に記録する。セルフタイマーを使用するときは、メモリカード９４に保管されたセルフタイマー用音声がタイマ３００と連動してスピーカ２１１から発せられる。セルフタイマー用音声の終了時又は途中でシャッターが下りるように設定できる。【選択図】  図２
2004205867.tif 000002
【特許請求の範囲】
【請求項１】
セルフタイマー付きカメラであって、
セルフタイマー用音声を新たに記録又は更新できる音声記録部と、
前記記録又は更新したセルフタイマー用音声のデータを保管するメモリと、
前記セルフタイマー用音声を発するスピーカー部と、からなるセルフタイマー付きカメラ。
【請求項２】
前記セルフタイマーを設定して撮影動作をする際に前記セルフタイマー用音声のファイルが再生終了したときにカメラのシャッターが下りるように構成されている請求項１のセルフタイマー付きカメラ。
【請求項３】
前記セルフタイマーを設定して撮影動作をする際に前記セルフタイマー用音声のファイルの再生中の予め設定した時点でカメラのシャッターが下りるように構成されている請求項１のセルフタイマー付きカメラ。
【請求項４】
前記予め設定した時点は、カメラの自動露出、自動焦点の各設定が終了した以降であることを特徴とする請求項３のセルフタイマー付きカメラ。
【請求項５】
前記セルフタイマー用音声は、セルフタイマーの時間経過と共に変化する音声からなることを特徴とする請求項１、２、３、又は４のセルフタイマー付きカメラ。
【請求項６】
前記メモリはカメラ内蔵メモリ又は外部メモリであることを特徴とする請求項１、２、３、４又は５のセルフタイマー付きカメラ。
【発明の詳細な説明】
【０００１】
【発明の属する技術分野】
本発明は、セルフタイマーが装備されているセルフタイマー付きカメラに関する。
【０００２】
【従来の技術】
従来、セルフタイマーの時間経過を撮影者や被撮影者に知らせるため、ブザーや音楽にして注意を引くことが行われてきた（例えば、特許文献１、特許文献２参照）。
【０００３】
しかし、従来の技術では、既存のセルフタイマーの音声データをユーザが自由に設定することができず、音声データを変更したり更新したりすることもできなかった。
【０００４】
【特許文献１】
特開平５−１８１１８２号公報
【０００５】
【特許文献２】
実公昭６１−３４５１６号公報
【０００６】
【発明が解決しようとする課題】
本発明は、上記の事情を考慮して、セルフタイマーの音声データをユーザが記録することができるセルフタイマー付きカメラを提供することを目的とする。
【０００７】
本発明は、セルフタイマーの音声データにおいてユーザが希望するタイミングでシャッターが下りるようにできるセルフタイマー付きカメラを提供することを目的とする。
【０００８】
【課題を解決するための手段】
請求項１の本発明は、セルフタイマー付きカメラであって、
セルフタイマー用音声を新たに記録又は更新できる音声記録部と、
前記記録又は更新したセルフタイマー用音声のデータを保管するメモリと、
前記セルフタイマー用音声を発するスピーカー部と、からなるセルフタイマー付きカメラ、からなる。
【０００９】
請求項１の本発明によれば、音声記録部でセルフタイマー用音声を新たに記録又はすでに記録されている音声を更新する。このセルフタイマー用音声の新たな記録又は更新は、録音機能でもよいし、音声情報記録機能でもよい。
【００１０】
録音機能であれば、カメラ内装置の録音機能を利用して録音してもよいし、外部装置でユーザがオリジナルの音声を作り録音して音声記録部に記録してもよい。
【００１１】
音声情報記録機能であれば、外部装置やカメラ内装置で音声情報を作成し、その音声情報を記録することができる。
【００１２】
音声記録部に記録されたセルフタイマー用音声のデータは、メモリに保管する。セルフタイマーを使用するときは、メモリに保管されたセルフタイマー用音声がスピーカー部から発せられる。
【００１３】
請求項２の本発明は、前記セルフタイマーを設定して撮影動作をする際に前記セルフタイマー用音声のファイルが再生終了したときにカメラのシャッターが下りるように構成されている請求項１のセルフタイマー付きカメラ、からなる。
【００１４】
請求項２の本発明によれば、セルフタイマーを設定して撮影動作をする際に前記セルフタイマー用音声のファイルが再生終了したときにカメラのシャッターが下りるように構成されているので、音声ファイル再生終了がシャッターの下りるタイミングだということがわかる。
【００１５】
請求項３の本発明は、前記セルフタイマーを設定して撮影動作をする際に前記セルフタイマー用音声のファイルの再生中の予め設定した時点でカメラのシャッターが下りるように構成されている請求項１のセルフタイマー付きカメラ、からなる。
【００１６】
請求項３の本発明によれば、セルフタイマーを設定して撮影動作をする際に前記セルフタイマー用音声のファイルの再生中の予め設定した時点でカメラのシャッターが下りるように構成されているので、音声ファイルの再生中、どのタイミングでシャッターが下りるかがわかる。ユーザは音声ファイル上のどの時点でカメラのシャッターが下りるかを設定することができる。
【００１７】
請求項４の本発明は、前記予め設定した時点は、カメラの自動露出、自動焦点の各設定が終了した以降であることを特徴とする請求項３のセルフタイマー付きカメラ、からなる。
【００１８】
請求項４の本発明によれば、カメラの自動露出、自動焦点の各設定が終了した以降の時点で、ユーザは音声ファイル上のカメラのシャッターが下りる時点を設定することができる。
【００１９】
請求項５の本発明は、前記セルフタイマー用音声は、セルフタイマーの時間経過と共に変化する音声からなることを特徴とする請求項１、２、３、又は４のセルフタイマー付きカメラ、からなる。
【００２０】
請求項５の本発明によれば、前記セルフタイマー用音声は、セルフタイマーの時間経過と共に変化する音声からなるので、ユーザは音声のどのタイミングでシャッターが下りるかを予め知ることができる。
【００２１】
請求項６の本発明は、前記メモリはカメラ内蔵メモリ又は外部メモリであることを特徴とする請求項１、２、３、４又は５のセルフタイマー付きカメラ、からなる。
【００２２】
請求項６の本発明によれば、記録したセルフタイマー用音声のデータを保管するメモリをカメラ内蔵メモリにすることもできるし、外部メモリにすることもできる。
【００２３】
【発明の実施の形態】
以下、添付図面に従って本発明の実施の形態に係るセルフタイマー付きデジタルカメラについて詳説する。
【００２４】
図１（ａ）は、本発明の実施形態に係るデジタルカメラ１０の正面斜視図、図１（ｂ）はその背面斜視図である。
【００２５】
このカメラ１０は、セルフタイマー用音声の記録再生が可能なデジタルカメラであり、カメラ前面には沈胴式の撮影レンズ１２、光学ファインダー５、ストロボユニット２、スピーカ孔８が設けられている。撮影レンズ１２の後方には撮像素子としてのＣＣＤイメージセンサ（図１中不図示、図２中符号６８として記載、以下、ＣＣＤという。）が配置され、該ＣＣＤ６８から読み出された画像信号は所定の信号処理を経てデジタル画像データに変換される。
【００２６】
カメラ１０の上面にはレリーズスイッチ３が設けられている。レリーズスイッチ３は、画像や音声の記録開始を指示する手段であり、動画の録画開始／停止ボタン、録音の開始／停止ボタンとして兼用される。
【００２７】
カメラ１０の裏面にはマイク孔９、光学ファインダー５、パワー及びモードスイッチ７、ＬＣＤパネル４が設けられている。パワー及びモードスイッチ７は、電源ＯＮ／ＯＦＦ手段であると共に撮影系モードが選択されている場合に、連写、マニュアル撮影、オート撮影、シーンポジション、動画、ボイスレコーダ、セルフタイマー用音声レコーダの各モードを選択するための手段である。
【００２８】
シーンポジションモードではメニュー操作によって、人物（ポートレート）モード、風景モード、夜景モード、モノクロモードを選択できる。撮影状況に応じてこれらモードを利用することにより、撮影シーンに適した設定が自動的に行われる。ボイスレコーダモードは、音声のみを記録するモードである。また、本カメラ１０は、静止画の撮影後にその画像と関連付けて音声を記録することができるボイスメモ機能を有している。セルフタイマー用音声レコーダモードは、セルフタイマー用音声を記録するモードである。
【００２９】
ＬＣＤパネル４は、カラー液晶ディスプレイで構成されており、ＣＣＤ６８を介して取り込まれる画像やメモリカード（図３中符号９４として記載）から読み出した再生画像が表示されるとともに、モード情報、電池残量警告、撮影日時、標準撮影可能枚数、再生コマ番号などの各種情報も表示される。また、各種のメニュー表示、メニューの選択や各メニューにおける各種設定項目の設定等もＬＣＤパネル４の表示画面を用いて行われる。
【００３０】
パワー及びモードスイッチ７は、撮影・録音系モードと再生系モードを選択的に切り換えるための手段である。
【００３１】
図２にも示すように、マイク孔９の内側には、マイク１１が構成されている。マイク１１は、本体が断面円形で末広がり形状のコーン１８を有し、コーン１８のカメラ１０正面側には磁石２０が結合され、磁石２０のまわりにはコイル２２が配設されている。この例ではコーン１８の広がり部がカメラ１０の背面側に向いた状態で配設されている。コーン１８はこの形状に限らず、円板状等でもよい。
【００３２】
図２にも示すように、スピーカ孔８の内側には、スピーカ２１１が構成されている。スピーカ２１１は、本体が断面円形で末広がり形状のコーン２１８を有し、コーン２１８のカメラ１０裏面側には磁石２２０が結合され、磁石２２０のまわりにはコイル２２２が配設されている。この例ではコーン２１８の広がり部がカメラ１０の表面側に向いた状態で配設されている。コーン２１８はこの形状に限らず、円板状等でもよい。
【００３３】
図２はカメラ１０のブロック図である。
【００３４】
撮影レンズ１２は、ズームレンズで構成されているが、単焦点レンズを用いてもよい。撮影レンズ１２を通過した光は、絞り６６によって光量が調節された後、ＣＣＤ６８に入射する。ＣＣＤ６８の受光面には、フォトセンサが平面的に配列されており、撮影レンズ１２を介してＣＣＤ６８の受光面に結像された被写体像は、各フォトセンサによって入射光量に応じた量の信号電荷に変換される。なお、ＣＣＤ６８は、シャッターゲートパルスのタイミングによって各フォトセンサの電荷蓄積時間（シャッタースピード）を制御する、いわゆる電子シャッター機能を有している。
【００３５】
各フォトセンサに蓄積された信号電荷は、ＣＣＤドライバ７０から与えられるパルスに基づいて信号電荷に応じた電圧信号（画像信号）として順次読み出される。ＣＣＤ６８から出力された画像信号は、アナログ処理部７２に送られる。アナログ処理部７２は、サンプリングホールド回路、色分離回路、ゲイン調整回路等の信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００３６】
アナログ処理部７２から出力された信号は、Ａ／Ｄ変換器７４によりデジタル信号に変換された後、内蔵バッファ７６を介してＲＡＭ７８に格納される。ＣＣＤドライバ７０、アナログ処理部７２及びＡ／Ｄ変換器７４には、タイミングジェネレータ７７からタイミング信号が与えられ、このタイミング信号によって各回路の同期がとられている。
【００３７】
ＲＡＭ７８に記憶された画像データは信号処理部８０へ送られる。信号処理部８０は、輝度・色差信号生成回路、ガンマ補正回路、シャープネス補正回路、コントラスト補正回路、ホワイトバランス補正回路等の画像信号処理回路及び音声信号処理回路を含むデジタルシグナルプロセッサ（ＤＳＰ）で構成された信号処理手段であり、ＣＰＵ８２からのコマンドに従って画像信号及び音声信号を処理する。信号処理部８０に入力された画像データは、輝度信号（Ｙ信号）及び色差信号（Ｃr,Ｃb 信号）に変換されるとともに、ガンマ補正等の所定の処理が施された後、ＲＡＭ７８に格納される。
【００３８】
撮影画像を表示出力する場合、ＲＡＭ７８に格納された輝度・色差信号（ＹＣ信号と略記する）は、バス８４を介してＶＲＡＭ８６に送られる。ＶＲＡＭ８６に記憶されたデータはエンコーダ８７に送られ、ここでキャラクタジェネレータ８８から供給される文字や記号のデータとともに表示用の所定方式の信号（例えば、ＮＴＳＣ方式のカラー複合映像信号）に変換される。
【００３９】
エンコーダ８７の出力はＤ／Ａ変換器８９を介してアナログ信号に変換された後、ＬＣＤパネル４に出力される。こうして、当該画像データの画像内容がＬＣＤパネル４の画面上に表示される。
【００４０】
ＣＣＤ６８から出力される画像信号によってＲＡＭ７８内の画像データが定期的に書き換えられ、その画像データから生成される映像信号がＬＣＤパネル４に供給されることにより、ＣＣＤ６８を介して入力される画像がリアルタイムにＬＣＤパネル４に表示される。撮影者は、ＬＣＤパネル４に映し出される画像（スルー画）、或いは光学ファインダー５によって撮影画角を確認できる。
【００４１】
パワー及びモードスイッチ７により撮影系モードが選択され、レリーズスイッチ３が押されると撮影開始指示（レリーズＯＮ）信号が発せられる。ＣＰＵ８２は、この指示信号の受入に応動して、記録用の画像データの取り込みを開始する。また、ＣＰＵ８２は圧縮伸張回路９０にコマンドを送り、これにより圧縮伸張回路９０は、ＲＡＭ７８上の画像データをＪＰＥＧその他の所定の形式に従って圧縮する。
【００４２】
圧縮された画像データは、カードインターフェース９２を介してメモリカード９４に記録される。本例のカメラ１０では、画像データや音声データ（セルフタイマー用音声データを含む）を保存する手段として、例えばスマートメディア（Solid-State Floppy Disk Card）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。また、データを保存する手段は、カメラ本体１に着脱可能なリムーバブルメディアに限らず、カメラ１０に内蔵された記録媒体（内部メモリ）であってもよい。
【００４３】
パワー及びモードスイッチ７によって撮影系モードでムービーモードが選択されたときには、音声付き動画の記録が可能となり、レリーズスイッチ３の押下によって録画動作がスタートし、もう一度レリーズスイッチ３を押下すると録画動作が停止する。レリーズスイッチ３を押下継続している期間、録画動作を行い、押下解除により録画を停止するようにしてもよい。１回の撮影で記録できる最長時間、画像サイズ、フレームレート及び記録方式などは予め定められており、例えば、１回の撮影で最長約８０秒の音声付きムービーを撮影でき、320 ×240 ピクセル、１０フレーム／秒、Motion JPEG 形式によってメモリカード９４に記録される。
【００４４】
パワー及びモードスイッチ７によって再生系モードが選択されると、メモリカード９４に記録されている最終のファイル（最後に記録したファイル）が読み出される。最終のファイルが画像ファイルの場合は、その画像ファイル（動画の場合には最初の一コマ）の画像データは、圧縮伸張回路９０によって伸張処理され、ＶＲＡＭ８６、エンコーダ８７、Ｄ／Ａ変換器８９を介してＬＣＤパネル４に出力される。
【００４５】
この一コマ再生時に動画の先頭コマが表示されている状態で、所定の操作キーの押下によって音声付き動画の再生を開始させることができる。
【００４６】
最終ファイルが音声ファイル又はセルフタイマー用音声ファイルの場合には、ＬＣＤパネル４には音声ファイル又はセルフタイマー用音声ファイルであることを示す所定の絵柄（例えば、マイクロフォンがデザインされたビットマップ背景画、タイマーがデザインされたビットマップ背景画）が表示される。この表示画面で所定の操作キーの押下によって音声再生を開始させることができる。動画若しくは音声再生中に所定のキーを押すと、再生が中止される。
【００４７】
また、所定のキーを操作することにより、順方向又は逆方向にコマ送り（ファイル送り）することができ、コマ送りされた次のファイルがメモリカード９４から読み出され、上記と同様にして静止画、動画又は音声が再生される。
【００４８】
ＣＰＵ８２は、本カメラシステムを統括制御する制御部である。ＣＰＵ８２は、パワー及びモードスイッチ７、レリーズスイッチ３、タイマスイッチ３０２の操作によるタイマ３００、その他の操作部から受入する入力信号に基づいて、対応する回路の動作を制御し、ＬＣＤパネル４における表示の制御、ストロボ発光制御、オートフォーカス（ＡＦ）制御及び自動露出（ＡＥ）制御等を行う。ＣＰＵ８２は、ＣＣＤ６８を介して入力された画像データに基づいて焦点評価演算やＡＥ演算などの各種演算を行い、その演算結果に基づいてレンズ駆動部１０６を制御して撮影レンズ１２を合焦位置に移動させる一方、図示せぬアイリス駆動部を制御して絞り６６を適正絞り値に設定するとともにＣＣＤ６８の電荷蓄積時間を制御する。
【００４９】
ＲＯＭ１０８にはＣＰＵ８２が処理するプログラム及び制御に必要な各種データ等が格納され、ＲＡＭ７８は画像処理領域の他、ＣＰＵ８２が各種の演算処理等を行う作業用領域を有する。ＥＥＰＲＯＭ（不揮発性メモリ）１１０には、各種設定情報などが格納される。
【００５０】
ストロボ装置１２０（図１中符号２に相当）は、ストロボ発光部１２１、ストロボ調光センサ１６、コンデンサ１２２、及びストロボ制御回路１２４から構成される。ストロボボタンの操作によって、低輝度時にストロボを自動的に発光させる「低輝度自動発光モード」、「赤目軽減モード」、被写体輝度にかかわらずストロボ発光させる「強制発光モード」、又はストロボ発光を禁止させる「発光禁止モード」などの各モードに設定可能である。
【００５１】
ＣＰＵ８２は、操作者が選択したストロボモードに応じて、撮影実行時にストロボ制御回路１２４にコマンドを与える。ストロボ制御回路１２４は、ＣＰＵ８２から加えられる指令に基づいてコンデンサ１２２の充電制御やストロボ発光部１２１（例えば、キセノン管）への放電（発光）タイミングを制御する。
【００５２】
ストロボ調光センサ１６は、ストロボ発光によって照らされる被写体からの反射光を受光し、受光量に応じた電気信号に変換する受光素子が用いられている。ストロボ調光センサ１６の検出信号は図示せぬ積分回路により積算され、積算受光量が所定の適正受光量に達した時にストロボの発光が停止される。
【００５３】
カメラ１０の電源は、バッテリ１２６又は電源入力端子に接続される図示せぬＡＣパワーアダプター等の外部電源を用いることができる。バッテリ１２６等から供給される電力は、ＤＣ／ＤＣコンバータを含む電源回路１２８によって所要の電圧に変換された後、各回路ブロックに電源供給される。
【００５４】
セルフタイマー用音声の記録について説明する。
【００５５】
まず、モードスイッチ７をセルフタイマー用音声レコーダモードに合わせる。レリーズスイッチ３の全押し（Ｓ2 ＯＮ）で録音を開始し、その後レリーズスイッチ３の半押し（Ｓ1 ＯＮ）で録音を停止する。録音時、図２において、音声がマイク孔９を通じてマイク１１に入力される。マイク１１はマイクとしての機能を有し、音声が入力されると、コーン１８が振動し、コーン１８に結合されている磁石２０も振動する。電磁誘導作用により、その磁石２０のまわりに配置されているコイル２２に電流が流れる。電流は、途中、電流電圧変換器で電圧信号に変換され、アンプ９７を経て増幅され、結合コンデンサ９９を経て、ローパスフィルタ９６にて高周波領域の雑音が除かれ、Ａ／Ｄ変換器９８でクロック入力があってＡ／Ｄ変換され、パルス符号変調器（ＰＣＭ）１０１で符号化される。符号化された音声データは圧縮伸張回路９０で専用のコーデックにより圧縮処理され、圧縮処理されたＡＶＩファイルの形式でメモリカード９４に記録される。
【００５６】
セルフタイマー用音声の再生について説明する。再生には、タイマ３００をセットしたときのタイマ３００と共に進行する再生とセルフタイマー用音声を記録したときに記録内容を確認するためのプレ再生とがある。
【００５７】
タイマ３００セット時の再生は、タイマスイッチ３０２が操作されるとタイマ３００の進行が開始すると共にタイマ３００開始信号がＣＰＵ８２に送られ、ＣＰＵ８２が再生のための制御回路に制御信号を送ることによって進められる。タイマスイッチ３０２を操作してからタイマ３００が作動してレリーズスイッチ３が下りるタイミングについては後述する。このタイミングは予め設定可能で、設定内容に従ってＣＰＵ８２がレリーズスイッチ３に作動指令を出す。
【００５８】
プレ再生は、モードスイッチ７をセルフタイマー用音声プレ再生モードに合わせる。
【００５９】
再生のプロセスを説明する。
【００６０】
メモリカード９４から読み出された音声ファイルは、圧縮伸張回路９０で専用の伸張コーデックにより伸張処理され、信号処理部８０において信号処理化され、復号器１００で復号化され、Ｄ／Ａ変換器１０２で電圧信号としてのアナログ信号に変換される。変換された電圧信号はアンプ１０４で増幅され、途中、電流電圧変換器で電流信号に変換されて、スピーカ２１１のコイル２２２に流れる。コイル２２２に電流が流れると、磁石２２０が振動し、それに伴い磁石２２０に結合されているコーン２１８が振動し、音声を出力する。こうして、スピーカ２１１から音声として出力される。出力された音声は、スピーカ孔８を通じてカメラ１０の前方から発せられる。
【００６１】
録音したばかりでメモリカード９４にまだ記録されていない音声をプレ再生するときは、録音音声がＲＡＭ７８に一旦格納されているので、ＲＡＭ７８から音声ファイルを読み出す。
【００６２】
セルフタイマー用音声を新たに録音して記録する際のユーザ操作を説明する。図３は、セルフタイマー用音声の録音、記録の際のユーザ操作の流れを示したフローチャートである。この流れは、通常の音声記録についても適用される。
【００６３】
まず、モードスイッチ７をセルフタイマー用音声レコーダモード又は通常音声レコーダ（ボイスレコーダ）モードに合わせる（ステップ４００）。
【００６４】
パワー及びモードスイッチ７押圧によりＬＣＤパネル４の表示を見ながら音声取得時間を設定する（ステップ４０２）。設定は秒単位で行うことができる。
【００６５】
レリーズスイッチ３の全押し（Ｓ2 ＯＮ）で録音を開始する（ステップ４０４）。
【００６６】
録音しようとする音声がマイク孔９を通じてマイク１１に入力され、カメラ１０は音声データを取得する（ステップ４０６）。音声データの取得中は、ＬＣＤパネル４で設定時間のカウントが表示され、ユーザに録音時間を知らせるようになっている。なお、カメラ１０にＬＥＤを装備させて録音中はこのＬＥＤを点灯させるようにしてもよい。
【００６７】
録音を終了させるには、レリーズスイッチ３の半押し（Ｓ1 ＯＮ）をする。または、所定最大限の録音時間が満了したら自動的に録音が終了する。録音が終了したら録音をプレ再生するかどうかＬＣＤパネル４の表示で尋ねる（ステップ４０８）。
【００６８】
録音音声をプレ再生する場合は、モードスイッチ７をセルフタイマー用音声プレ再生モードに合わせる。パワー及びモードスイッチ７押圧によりＬＣＤパネル４の表示を見ながら音声再生する（ステップ４１０）。
【００６９】
プレ再生した音声データをメモリカード９４に記録するかどうかＬＣＤパネル４の表示で尋ねる（ステップ４１２）。メモリカード９４に記録しない場合は、ステップ４００に戻る。なお、ステップ４０８で録音音声をプレ再生しない場合は、ステップ４１２に移行する。
【００７０】
ステップ４１２で、メモリカード９４に記録する場合は、パワー及びモードスイッチ７押圧により、ＲＡＭ７８に格納されている音声データを音声ファイルとしてメモリカード９４に記録する（ステップ４１４）。
【００７１】
他の音声を取得するかどうかＬＣＤパネル４の表示で尋ねる（ステップ４１６）。取得する場合は、ステップ４００に戻る。取得しない場合は、手続きが終了する。
【００７２】
なお、上記形態では、音声の記録について、まず、モードスイッチ７をセルフタイマー用音声レコーダモード又は通常音声レコーダ（ボイスレコーダ）モードに合わせたが、セルフタイマー用音声記録の場合も通常音声記録の場合も、まずは音声を録音しメモリカードに記録しておいて、最後にセルフタイマー用音声レコーダモード、又は通常音声レコーダモードを設定するようにしてもよい。
【００７３】
次に、すでに記録してある音声をセルフタイマー用音声として設定保存する際のユーザ操作を説明する。図４は、セルフタイマー用音声の選択、記録の際のユーザ操作の流れを示したフローチャートである。
【００７４】
モードスイッチ７をセルフタイマー用音声選択モードに合わせる（ステップ４２０）。
【００７５】
ＬＣＤパネル４の表示画面が音選択画面になる（ステップ４２２）。音選択画面としては、例えば、図４右側に示したような画面が考えられる。「音１」として、カメラ１０で取得した音、「音２」として、カメラ１０以外で録音してメモリカード９４に記録した音声ファイル、等から選択できる。記録されている音声の中に無音を秒単位で挿入することも可能である。
【００７６】
パワー及びモードスイッチ７により音声選択をする（ステップ４２４）。ここでは、「音１」を選択する。
【００７７】
選択した「音１」の音声を再生するかどうか、ＬＣＤパネル４の表示画面で尋ねる（ステップ４２６）。
【００７８】
パワー及びモードスイッチ７により音声再生を選択した場合は、「音１」の音声が再生される（ステップ４２８）。この場合、ＬＣＤパネル４で再生時間を表示し、終了時間までカウントしていく。
【００７９】
音声再生が終了すると、次の音声選択をするかどうか、ＬＣＤパネル４の表示画面で尋ねる（ステップ４３０）。ステップ４２６で音声再生しない場合は、このステップ４３０に移行する。ステップ４３０で、次の音声選択をする場合は、音選択画面がでて、パワー及びモードスイッチ７により音声選択をする（ステップ４３２）。
【００８０】
音声選択をしたら、その選択した音声とすでに選択、再生された音声とが結合される（ステップ４３６）。すなわち、結合された音声のファイルができる。
【００８１】
結合された音声を再生してみる場合は、ステップ４２６に移行する。
【００８２】
ステップ４３０で、パワー及びモードスイッチ７により次の音声選択をしないことにした場合は、ステップ４２４、４２８で選択、再生された音声が、セルフタイマー音として設定保存される（ステップ４３４）。
【００８３】
なお、ステップ４２２での音選択画面で、例えば「音１」と共に「無音」も選択した場合（ステップ４３８）の操作を説明する。図５は、「無音」選択時の操作の流れを示したフローチャートである。
【００８４】
上述の通り、記録されている音声の中に無音を秒単位で挿入することが可能であるので、無音を開始するときは、「音１」の音声再生中（ステップ４２８）にレリーズスイッチ３の全押し（Ｓ2 ＯＮ）をする。無音を終了させるときは、再びレリーズスイッチ３の全押し（Ｓ2 ＯＮ）をする（ステップ４４０）。「音１」の音声において、初めにレリーズスイッチ３を全押しして、再びレリーズスイッチ３を全押しするまでの間の時間に無音が秒単位で挿入される。
【００８５】
セルフタイマー用音声の音声ファイルとカメラのＡＥ（自動露出）機能・ＡＦ（オートフォーカス）機能との関係について述べる。
【００８６】
図６は、音声ファイルを、セルフ警告音機能及びＡＥ・ＡＦ機能を備えたカメラ１０のセルフ機能に挿入するときの概念を示した図である。
【００８７】
挿入する音声ファイルは、カメラ１０を用いて録音した音声を使用するか、またはカメラ１０以外で録音してメモリカード９４に記録した音声情報を使用するか、になる。
【００８８】
カメラ１０のセルフ機能には、セルフ警告音機能、及びＡＥ・ＡＦ機能がある。セルフ警告音機能のセルフ警告音の音声をユーザが設定又は置き換え設定する。その際、ＡＥ・ＡＦ機能との時間的先後が問題になる。
【００８９】
タイマスイッチ３０２を操作してからタイマ３００が作動して音声ファイルが再生されてレリーズスイッチ３が下りるタイミングについて述べる。
【００９０】
図７は、音声ファイルの再生が終了したときにレリーズスイッチ３が下りる設定をした場合の時間的概念図、図８は、音声ファイルの再生が終了する前にレリーズスイッチ３が下りる設定をした場合の時間的概念図である。
【００９１】
図７において、音声ファイルの再生は、カメラ１０がＡＥ・ＡＦ機能設定に要する時間が終了した後に開始する。すなわち、タイマスイッチ３０２を操作するとＡＥ・ＡＦ機能設定が開始し、そしてＡＥ・ＡＦ機能設定が終了すると音声ファイル再生が開始する。音声ファイル再生が終了すると同時にレリーズスイッチ３が下りる。これは通常（ノーマル）の設定である。
【００９２】
また、図８に示すように、ユーザ設定により、音声ファイルの再生が終了する前にレリーズスイッチ３が下りるようにすることもできる。タイマスイッチ３０２を操作するとＡＥ・ＡＦ機能設定が開始し、そしてＡＥ・ＡＦ機能設定が終了すると音声ファイル再生が開始する。音声ファイル再生が終了する前にレリーズスイッチ３が下りる。これは、音声ファイル上のユーザ希望の時点でレリーズスイッチ３が下りる設定をすることによってなされる。このユーザ設定は、音声ファイルをセルフタイマー音として設定保存する際に、レリーズスイッチ３の下りるタイミングをノーマル以外にする選択をＬＣＤパネル４を見ながらパワー及びモードスイッチ７により行う。ただし、レリーズスイッチ３の下りるタイミングを、カメラ１０のＡＥ・ＡＦ機能設定終了前に設定することはできない。図８のタイミングでレリーズスイッチ３が下りるようにすることで、音声が歌やメロディの場合に、どの場面でシャッターが下りるかをユーザが設定できるので非常に楽しめる。
【００９３】
なお、レリーズスイッチ３の半押し（Ｓ1 ＯＮ）でＡＥ・ＡＦ機能設定を開始させてＡＥ・ＡＦロックをした状態にし、レリーズスイッチ３の全押し（Ｓ2 ＯＮ）でＡＥ・ＡＦ機能設定を終了させてから音声ファイルを再生開始させることもできる。図９は、ＡＥ・ＡＦロック機能設定終了後に、音声ファイルの再生を開始させて音声ファイルの中に無音を含む場合の時間的経過を示した図である。
【００９４】
図９において、音１、音２はユーザが録音した音声ファイルであり、音１と音２の間の無音は、上述（図５）の方法でユーザが挿入した無音である。すなわち、図９の音声ファイルは、音１、無音、音２の、複数の音声ファイルを結合させた音声ファイルである。この例では、結合した音声ファイルの再生が終了した時点でレリーズスイッチ３が下りるようになっている。すなわち、シャッタータイミングはノーマル設定である。
【００９５】
本実施の形態によれば、セルフタイマー用音声を、個人の声での呼びかけにしたり、ユーザ独自の音楽にしたりすることができる。また、これらの呼びかけや音楽が流れている間においてユーザ所望のタイミングでシャッターが下りるようにすることもできる。
【００９６】
なお、セルフタイマー用の音声ファイルは、数秒間から十数秒間の間の長さが一般的であるが，これに限定されるものではない。
【００９７】
また、音声ファイルをカメラ１０の内蔵メモリに格納させてもよい。
【００９８】
【発明の効果】
請求項１の本発明によれば、セルフタイマー用音声を自分で自由に作成することができる。
【００９９】
請求項２の本発明によれば、シャッターの下りるタイミングがユーザ（撮影者、被撮影者）によくわかる。
【０１００】
請求項３の本発明によれば、タイマー音のユーザの好みの時点でシャッターが下りるようにすることができる。
【０１０１】
請求項４の本発明によれば、音声ファイル上のカメラのシャッターが下りる時点をユーザ設定可能な場合でも、カメラの自動露出、自動焦点の各設定が終了した後にシャッターを下りるようにすることができる。
【０１０２】
請求項５の本発明によれば、ユーザは変化する音声のどのタイミングでシャッターが下りるかを予め知ることができるので、不意にシャッターが下りる事態や待っていてもなかなかシャッターが下りない事態を防止できる。
【０１０３】
請求項６の本発明によれば、カメラの中に音声データを記憶させておくこともできるし、取り外し可能な外部メモリに音声データを記憶させることもできるので、便利である。
【図面の簡単な説明】
【図１】（ａ）は本発明の実施形態に係るデジタルカメラの正面斜視図、（ｂ）はその背面斜視図。
【図２】カメラのブロック図。
【図３】セルフタイマー用音声の録音、記録の際のユーザ操作の流れを示したフローチャート。
【図４】セルフタイマー用音声の選択、記録の際のユーザ操作の流れを示したフローチャート。
【図５】「無音」選択時の操作の流れを示したフローチャート。
【図６】音声ファイルを、セルフ警告音機能及びＡＥ・ＡＦ機能を備えたカメラのセルフ機能に挿入するときの概念を示した図。
【図７】音声ファイルの再生が終了したときにレリーズスイッチが下りる設定をした場合の時間的概念図。
【図８】音声ファイルの再生が終了する前にレリーズスイッチが下りる設定をした場合の時間的概念図。
【図９】ＡＥ・ＡＦロック機能設定終了後に、音声ファイルの再生を開始させて音声ファイルの中に無音を含む場合の時間的経過を示した図。
【符号の説明】
１…カメラ本体、３…レリーズスイッチ、４…ＬＣＤパネル、７…パワー及びモードスイッチ、８…スピーカ孔、９…マイク孔、１０…デジタルカメラ、１１…マイク、７８…ＲＡＭ、８２…ＣＰＵ、９４…メモリカード、２１１…スピーカ、３００…タイマ、３０２…タイマスイッチ
【図１】
2004205867.tif 000003
【図２】
2004205867.tif 000004
【図３】
2004205867.tif 000005
【図４】
2004205867.tif 000006
【図５】
2004205867.tif 000007
【図６】
2004205867.tif 000008
【図７】
2004205867.tif 000009
【図８】
2004205867.tif 000010
【図９】
2004205867.tif 000011